(57)【要約】【課題】既存の金物等で継手の固定に使用しているものは、専用の金物はなく、その都度その時々に調達出来るものを、探して使用している。固定方法もバラバラで唯一固定金物だけが統一することが出来なく、施工要領が定まらないので施工に時間がかかる。【解決手段】ＬＧＳの形状を利用し、金具取付の際の簡略化及び規格化生産による供給量の確保が実現でき、施工要領の一元化に伴い高水準の施工精度を提供出来ることを特徴とする配管継手固定用金具である。【選択図】図１
2008261198.tif 000002
【特許請求の範囲】
【請求項１】
配管用継手ＫＴの水平固定を目的とする金具で、固定場所は図１の建築物の壁間仕切り内であり、この壁間仕切りに使用されている軽鉄材製の間柱ＬＧＳより支持固定するもので、ＬＧＳの表面に対応する金具Ｂと、裏面に対応する金具Ａの２種類があり、形状はＬ型で片面はＬＧＳの面に合わせタッピンビスＥにより固定し、もう一方は木材を乗せタッピンビスＥにて固定するもの。ＬＧＳに配管用継手ＫＴを水平固定するために木材が仲介役となり、この木材とＬＧＳを堅固に固定する作業を容易に行う事を特徴とする、部品番号Ａと、Ｂと、からなる配管継手固定用金具。
【請求項２】
この固定用金具ＡとＢには、Ａにａ１及びＢにｂ１のガイドレーンが付いており、固定用金具の木材を乗せる面に対してガイドレーンの方向は直角となっている。このためＬＧＳの補強溝ｃ１に嵌めるだけで、ＬＧＳの垂直方向に対して、固定用金具の木材を固定する面は、他の道具を使用する事もなく水平となる。このａ１及びｂ１のガイドレーンによる容易な水平固定作業の確立を特徴とする請求項１の配管継手固定用金具。
【発明の詳細な説明】
【技術分野】
【０００１】  この発明は、配管工事の際に使用する配管用継手ＫＴの、壁間仕切り内の固定を目的とする専用金具に関する。
【背景技術】
【０００２】  現在の状況として、専用の金具はなく、その都度その時々に調達出来るもの、例えば木材等を利用してＬＧＳに直接当てて、Ｇのタッピンネジ等にて木材を固定した後、配管用継手ＫＴを木材に固定し図２の（え）の様になる。また、Ｇのタッピンネジを打ち込む方向が図２の（え）と同方向から打ち込めない場合も多々あり、その場合は木材の固定がもっと複雑になり取付時間と資材が大幅に増える。
【発明の開示】
【発明が解決しようとする課題】
【０００３】しかしながら、以上の技術によれば、固定方法もバラバラで唯一固定金具及び金物だけが統一することが出来なく、施工要領が定まらないので施工に時間がかかる。配管用継手ＫＴについて説明すると、壁間仕切り内にＫＴを水平に固定しＷＬを取付た後、蛇口等の水栓類をＫＴにねじ込み固定する。この為、ＫＴ本体は確実な固定を要し、更にＷＬの壁面に対して水栓取付方向が直角且つ水平に位置する様に取付なければならない。またＫＴに接続される配管は、可とう性を有する架橋ポリエチレン管なので、管自体に支持力は無くＫＴ本体を固定する方法しかない。図２の（え）の場合は、木材を片手で持ちながらもう片方の手で、Ｇのタッピンビスを打つ専用工具を持ち固定作業を行う。この場合木材を水平に固定しなければならないのだが、手ぶれやＧの打ち込む角度が直角でない場合には、かなりの頻度で固定角度が狂う恐れが生じる。またビスを打ち込む角度が狂うとビスが木材の端部に偏り、木材本体を割ってしまい固定部材としての本来の姿を失う恐れも生じる。
そこで、本発明は、固定金具の規格化及び形状の創意工夫により、取付方法を統一することによる施工要領の確定、施工時間の短縮及び資材の調達確保を提供することを課題とする。
【課題を解決するための手段】
【０００４】  以上の課題を解決するために、第一発明は、配管用継手ＫＴの水平固定を目的とする金具で、固定場所は図１の建築物の壁間仕切り内であり、この壁間仕切りに使用されている軽鉄材製の間柱ＬＧＳより支持固定するもので、ＬＧＳの表面に対応する金具Ｂと、裏面に対応する金具Ａの２種類があり、形状はＬ型で片面はＬＧＳの面に合わせタッピンビスＥにより固定し、もう一方は木材を乗せタッピンビスＥにて固定するもの。ＬＧＳに配管用継手ＫＴを水平固定するために木材が仲介役となり、この木材とＬＧＳを堅固に固定する作業を容易に行う事を特徴とする、部品番号Ａと、Ｂと、からなる配管継手固定用金具。また、第二発明は、この固定用金具ＡとＢには、Ａにａ１及びＢにｂ１のガイドレーンが付いており、固定用金具の木材を乗せる面に対してガイドレーンの方向は直角となっている。このためＬＧＳの補強溝ｃ１に嵌めるだけで、ＬＧＳの垂直方向に対して、固定用金具の木材を固定する面は、他の道具を使用する事もなく水平となる。このａ１及びｂ１のガイドレーンによる容易な水平固定作業の確立を特徴とする請求項１の配管継手固定用金具。
【発明の効果】
【０００５】  第一発明、または第二発明によれば、配管用継手ＫＴを直接支持固定する木材と、図１に記載のＬＧＳとを連結固定させるための金具である。図４のｃ１がＬＧＳの補強溝であるが、この補強溝を利用して金具を固定する。固定する際、図４のｃ１に固定用金具Ａのガイドレーンａ１及び固定用金具Ｂのガイドレーンｂ１を重ねて嵌め込む事により、左右のブレが無くなり、木材を乗せて固定する面は常に水平を維持する。そして任意の高さにて図４のビス穴ａ２及びｂ２よりＥのタッピンビスにて、固定用金具Ａ及びＢをＬＧＳに固定する。左右のＬＧＳに各々固定した後、適当な長さに切断した木材を両端の固定用金具Ａ及びＢに乗せ、Ｅのタッピンビスにて木材を固定する。この時、木材のＸ軸、Ｙ軸方向共に水平となり強固に固定される。この固定用金具Ａと、Ｂを、規格化することにより、あらかじめ供給量の確保が出来て、施工要領の統一化により無駄を省く。更に相手となるＬＧＳの特徴を利用した金具の形状、及び固定、角度を確定する作業の簡略化により、施工精度の向上、施工時間の短縮が可能となり、高水準の商品として提供することが可能である。
【発明を実施するための最良の形態】
【０００６】この発明の一実施形態を、図１〜図４に示す。この固定金具を取付ける対象となるものは、図１（あ）（い）の壁間仕切り内部のＬＧＳで、材質は軽鉄材（亜鉛メッキ鋼板）で出来ている。このＬＧＳの形状は、図１のとおり片面は鋼板が巻かれていて、逆面は空間を有し、小口は折り返しており、この字型の形状となっている。このＬＧＳは、建築物の壁間仕切りの材料として広く普及しており、Ｗ寸法は６５ｍｍ〜１００ｍｍの仕様があるが、この固定金物は全てのＷ寸法に対応するものである。【０００７】図２の（う）は組立後完成斜視図となるが、固定用金具Ａと、Ｂの、２個の部品で構成し、更に木材を乗せ固定した後、配管用継手ＫＴを任意の位置にて固定する。
図２の（え）は従来の取付要領の一部抜粋であるが、図の様な木材の位置とＬＧＳを挟んで反対側からＧのタッピンネジにて直接固定する方法となっている。本発明は、木材を固定する両端のＬＧＳの内側で固定作業が出来るものである。【０００８】図３に固定用金具Ａ及びＢの姿図、斜視図を示す。形状はＬ型で片面にはガイドレーンを付けており、図４に示す通り固定用金具Ａのガイドレーンａ１の形状は、設置面に対して窪んでおり固定用金具Ｂのガイドレーンｂ１の形状は、設置面に対して突起している。これはＬＧＳの取付面の裏表に対応するためで、ＬＧＳの補強溝ｃ１にａ１及びｂ１を嵌め込んだ時、隙間が無くなりブレない形状である。材質は亜鉛鉄板製で、板厚１．６ｍｍである。図４に示すａ２及びｂ２はＬＧＳと固定用金具を固定するためのビス穴で、タッピンビスＥを打ち込む際に利用する。同じくａ３及びｂ３は木材と固定用金具を固定するためのビス穴で、タッピンビスＥを打ち込む際に利用する。ビス穴径はφ５ｍｍとする。【０００９】図４にて取付手順を説明すると、金物取付説明図▲１▼の固定用金具Ａ及びＢを任意の高さにて固定する。固定方法は、木材を固定する両端のＬＧＳ内面に固定用金具Ａ及びＢを任意の高さにて合わせる。この時、ＬＧＳの補強溝ｃ１とガイドレーンａ１及びｂ１が嵌り、手で押さえている状態のみで、固定用金具の木材を乗せる面の水平が他の道具を使用せず確保される。そしてビス穴ａ２及びｂ２よりタッピンビスＥを打ち込み、固定用金具Ａ及びＢをＬＧＳに固定する。次に適当な長さに切断した木材を両端の固定用金具Ａ及びＢの上面に乗せ、ａ３及びｂ３よりタッピンビスＥを打ち込み、木材を固定用金具を介してＬＧＳに固定する。最後に配管用継手ＫＴを任意の位置に置き、図４の金物取付図▲２▼の様にタッピンビスＥにて固定完了となり、設置状態は水平が維持されている。【００１０】「実施形態の効果」
この実施形態によれば、供給量の確保、施工要領の規格化、施工時間の短縮、及び確実な固定が確保される。【００１１】「他の実施形態」
ＫＴの継手に限らず他の資材等の固定にも利用出来る。例えば配管自体の固定、補強板等の固定にも利用出来る。
【図面の簡単な説明】
【００１２】
【図１】壁間仕切りの姿図で、（あ）は斜視図で、（い）は平面図である。
【図２】この発明の全体図及び従来固定要領図で、（あ）はこの発明の斜視図で、（い）は従来固定要領の斜視図である。
【図３】この発明の平面図と、展開図と、斜視図である。
【図４】この発明の取付説明図で、金物取付説明図▲１▼と▲２▼である。
【符号の説明】
【００１３】ＬＧＳ  軽鉄間柱        ＷＬ  壁仕上げ材      ＫＴ  配管用継手
Ａ  固定用金具      ａ１  ガイドレーン  ａ２  ビス穴  ａ３  ビス穴
Ｂ  固定用金具      ｂ１  ガイドレーン  ｂ２  ビス穴  ｂ３  ビス穴
ｃ１  補強溝
Ｅ  タッピンビス    Ｇ  タッピンネジ
【図１】
2008261198.tif 000003
【図２】
2008261198.tif 000004
【図３】
2008261198.tif 000005
【図４】
2008261198.tif 000006